(57)【要約】【課題】土栽培と水栽培と鑑賞魚共生を兼ねた鉢であり、且つ自動的な潅水可能な鉢の構造を提供する。【解決手段】主通気管１１を具有する外鉢１０，該通気管に嵌合して密閉する主通気管２１及び入水管２２を具有する内鉢２０，制水部４０，上蓋３０より構成し、該内外両鉢１０，２０間には貯水空間Ｗを形成して水栽培植物及び鑑賞魚を育てる個所を提供すると同時に、該内鉢２０内では土を盛って土栽培植物を育てる個所を提供し、該主通気管に嵌合する中空ネジ２３により外気に通じることによって土栽培植物根部の必要な空気が充分に提供されると同時に該制水部４０の切込み４２が浮子４３の水位変動に応じた上下動により開閉することによって自動的に適量の水が供給されるようにする。【選択図】　　　　図３
2004008125.tif 000002
【特許請求の範囲】
【請求項１】
外鉢，内鉢，上蓋，制水部より構成され、
底部に孔が設けられ、一定の高さを有する主通気管を具有し、更に上端周縁底部には上蓋と定位するための凸縁が設けられている外鉢と、
内部は土が盛られて土栽培植物が植えられる個所となっており、体積が該外鉢より小さく該外鉢内部に設置され、底部には該外鉢の主通気管に対応した主通気管が設けられており、該主通気管には孔が設けられていることより該外鉢の主通気管と嵌合されて定位されて一体となり、また底部には貫通した入水管が設けられている内鉢と、
内鉢の入水管に設置され、該内鉢の水位が低下すると自動的に水を注入し、また水が設定量に至ると自動で止まる構造の制水部と、
該内鉢の直径に対応した開口，及び該外鉢凸縁に対応した嵌合凸縁が設けられており、水栽培植物を育てる際には取り外されるが、必要に応じては該内外両鉢の上端に嵌合されて一体となり、貯水空間の状面をカバーする上蓋と、
を具有し、
これらの構造によって洗浄等の際に便利な着脱可能であって、該内鉢中は土栽培植物を育てる個所を、また該内外両鉢の間の貯水空間は水栽培植物及び鑑賞魚を育てる個所を提供しており、且つ該貯水は該内鉢内の土栽培植物に提供されていると同時に、土栽培植物の根部に必要な通気効果も保たれていることを特徴とする土栽培と水栽培と鑑賞魚共生用の鉢の構造。
【請求項２】
該上蓋の底部には二つの環状を呈した凸片が設けられており、その間には挿合溝が設けられており、数個のＬＥＤの回路板を設置する個所がもうけられており、電気を通すことによって該ＬＥＤが発光して照明効果が提供されることを特徴とする請求項１記載の土栽培と水栽培と鑑賞魚共生用の鉢の構造。
【請求項３】
該内鉢と外鉢に設けられた各該主通気管を相互に嵌合させた後、外側に螺旋が設けられた中空のねじによって、該外鉢の主通気管に設けられた螺旋と緊密に固定することで、該内鉢と該外鉢の主通気管間より水が漏れないようになっていることを特徴とする請求項１記載の土栽培と水栽培と鑑賞魚共生用の鉢の構造。
【請求項４】
該外鉢底部には補助通気管が設けられており、該補助通気管には挿しこみ部の設けられた蓋が設けられており、該蓋を開けてポンプに連結された気体注入管を連結させることでは鑑賞魚に酸素が提供され、また空気の注入を行わない際は該蓋によって封じることで水が漏れないようになっていることを特徴とする請求項１記載の土栽培と水栽培と鑑賞魚共生用の鉢の構造。
【発明の詳細な説明】
【０００１】
【発明の属する技術分野】
本発明は土栽培と水栽培と鑑賞魚共生用の鉢の構造に係り、特に鉢によって水栽培植物と鑑賞魚を育てる空間及び貯水を提供すると同時に土栽培植物にも自動的に適量の水を供給し、且つ通気が妨げられることなく、最適の環境で土栽培植物と水栽培植物と鑑賞魚が育てられ、同時に見た目が美しく楽しめるものに関わる。
【０００２】
【従来の技術】
公知構造における鉢の構造において、特に水栽培用の鉢では水草や睡蓮、浮草などの水栽培植物が内部に植えられており、同時に魚を飼ったりすることができるものとなっている。
【０００３】
【発明が解決しようとする課題】
上述のような公知構造における水栽培用の鉢においては、水分の問題から土栽培植物を同時に育てることができず、機能が単に水を入れ、水栽培を行い、魚を飼う、といった単純なものとなっており、実用性に欠けていると言える。
そこで従来の鉢を更に実用的にするべく、本発明の土栽培と水栽培と鑑賞魚共生の鉢の構造を提供する。
【０００４】
【課題を解決するための手段】
主に上蓋，内鉢，外鉢，制水部より構成し、これらは洗浄のために取り外しができるものであり、該内鉢を該外鉢内に設置することで両者の間に貯水空間を設け、該内鉢中では土栽培植物を育て、該貯水空間内を水性植物と鑑賞魚を育てる個所とし、更に該内外鉢に主通気管を設けることで貯水によって植物の根に対する通気が影響を受けない状態で貯水空間の水分が該内鉢内に供給されるようにし、また回路板とＬＥＤを設けて更なる見た目の美しさを追及する。
【０００５】
【発明実施の形態】
図１から図４に示すように、本発明は主に鉢本体１０と内鉢２０及び上蓋３０と制水部４０とより構成されている。
【０００６】
該外鉢１０底部には孔１１０が設けられており、ある一定の高さに設けられた主通気管１１を具有し、更に上端周囲には凸縁１３が設けられて該上蓋３０が嵌合されるようになっている。また該主通気管１１内には螺旋１２、底部側面には補助通気管１４が設けられており、該補助通気管１４には挿しこみ部１６が設けられた蓋１５が設けられ、該蓋１５を開けることによりポンプに連結された気体注入管１７を連結して空気を注入する個所を提供するが、該気体注入管１７を連結させない場合はそのまま該蓋１５で閉じて水が漏れ出さないようにする。
【０００７】
該内鉢２０は、内部に土を盛って土栽培植物１１を植える個所を提供しており、該外鉢１０より体積が小さく該外鉢１０内に装入されるものである。また該内鉢２０の底部には主通気管２１が設けられており、該主通気管２１は孔２１０を具有し、該外鉢１０の通気管１１と嵌合されて定位され、緊密に定位されて一体となって外の空気が該内鉢２０内に入りこむようになっている。
また該内鉢２０の底部内面には貫通した入水管２２が設けられており、制水部４０を設置する個所が設けられている。該制水部４０においては、該内鉢２０中の水量が不足しているとき、自動的に開いて水が注入されるようにし、また水位が充分になったら自動的に止水されるようになっている。
【０００８】
該内，外両鉢２０，１０を一体にすると、その間には貯水空間Ｗができ、水栽培植物Ｌ２と鑑賞魚Ｌ３を育てるために必要な水を提供する（図６参照）。また、該貯水空間Ｗの水は該制水部４０の制御に合わせて該内鉢２０内に注入される、即ち該内鉢１０内の土栽培植物Ｌ１に必要な水分が補給されるようになっている。
内，外両鉢２０，１０の主通気管２１，１１を嵌合させた後、螺旋が設けられた中空ねじ２３によって該外鉢１０の通気管１１の螺旋１２と螺合させ、こうすることで内，外両鉢２０，１０の主通気管２１，１１が緊密に嵌設されて水が漏れ出さない目的が達成されている。
【０００９】
該上蓋３０においては、該内鉢２０に対応した開口３００及び該外鉢１０の凸縁１３に対応した嵌合凸縁３１が設けられており、該内外両鉢２０，１０の上端を嵌合させて一体にしており、貯水空間Ｗの水面をカバーすることができるようになっており、水栽培植物Ｌ２を植えた際（図６参照）には該上蓋３０は外すことができる。また該上蓋３０の底部には二つの環状を呈した凸片３２が設けられており、その間には挿合溝３３が設けられており、数個のＬＥＤ３５を具有する回路板３４（図２参照）を設ける個所が提供されており、発光して見た目を更に美しくするようになっている。
【００１０】
該制水部４０においては、切込み４２が入った軟性のチューブ４１（ゴム管など）が設けられており、該チューブ４１の末端には浮子４３が設置されており、先端を該内鉢２０内の入水管２２に挿入すると、該内鉢２０の水位が高いときには浮子４３が上がることで切込み４２を閉じた状態にして水が進入せず、逆に内鉢２０の水位が低い際には浮子４３が下降して該チューブ４１が下方に湾曲することで該切込み４２が開いて水が進入するようになっている。
【００１１】
本発明を使用する際においては、先ず図３〜５に示すように、鉢本体１０中には孔４５が設けられた敷板４４により一定の高さを提供しており、該敷板４４上には土が盛られて土栽培植物Ｌ１が植えられるようになっている。また図３に示すように上蓋３０が提供されて貯水空間Ｗ中にて鑑賞魚Ｌ３を飼うことができるようになっており、或いは図６に示すように該上蓋３０を使用せずとも鑑賞魚Ｌ３を飼い、また水栽培植物Ｌ２を鉢より露出させるなど、様々な形態で楽しむことができる。
【００１２】
内鉢２０が土栽培植物Ｌ１に対して水分を供給する点においては、水位が高く水の供給が不要な場合では図４に示すように制水部４０の浮４３が上昇して軟性の管４１が連動して上に上がり、切込み４２を圧迫して閉じた状態とし、こうすることで水が進入しないようにしている。敷板４４の孔を有する脚が土壌中に入り込んでいるため、土壌は即ち水に浸かっていることになり、該内鉢２０中の水分が使われて水位が低下すると、図５に示すように、浮子４３が下降して軟性の管４１が下方に湾曲し、よって切込み４２が開いた状態となって貯水空間Ｗの水が該切込み４２より入り込んで該内鉢２０内に至る。こうして自動的に水が供給されたり止水する機能が提供される。
【００１３】
また、主通気管２１，１１においては、該内鉢２０の水位が該主通気管２１，１１より低い場合、外の空気Ｈが該主通気管２１，１１及び中空ねじ２３によって内鉢２０内、敷板４４に入り込み、また該敷板４４は孔４５を具有するため、こうして一般の鉢同様に土栽培植物Ｌ１の根部には通気の効果を得ることができ、貯水のために通気が妨げられることがなく、植物の成長に影響することがない。
更に上蓋３０の回路板３４及びＬＥＤ３５においては（図３参照）、該ＬＥＤ３５は電気によって発光し、且つ該ＬＥＤ３５の色は白や青，赤やオレンジ、黄色等と多数の色が選択されて水面を照らし、見た目の美しさを更に上げることができる。尚、気体注入管１７で空気を送ることで、貯水空間Ｗ内に酸素を提供してもよいし、本発明の材質や形状は実施例に示されるものに限られない。
【００１４】
【発明の効果】
本発明によると、土栽培植物と水栽培植物及び鑑賞魚とが、必要な水が賄われ、且つ通気の効果も提供されていることにより、三者が最適な環境で共生でき、実用性に優れているばかりでなく視覚的にも楽しめる目的が達成された。
【図面の簡単な説明】
【図１】本発明実施例における立体分解図及び局部断面図である。
【図２】本発明の上蓋とＬＥＤの配置構造説明図である。
【図３】本発明の使用状態説明図及び気体注入管部分の拡大説明図である。
【図４】本発明が水位を制御する様子であり、水位が高く止水状態であることを示す図である。
【図５】本発明が水位を制御する様子であり、水位が低く入水状態であることを示す図である。
【図６】本発明において上蓋を使用せず、上端が閉じられていない状態における使用例図である。
【符号の説明】
１０　外鉢
１１，２１　主通気管
１１０，２１０，３００，４５　孔
１２　螺旋
１３　凸縁
１４　補助通気管
１５　蓋
１６　挿しこみ部
１７　気体注入管
２０　内鉢
２２　入水管
２３　中空ねじ
３０　上蓋
３１　嵌合凸縁
３２　凸片
３３　挿合溝
３４　回路板
３５　ＬＥＤ
４０　制水部
４１　軟性の管
４２　切込み
４３　浮
４４　敷板
Ｈ　空気
Ｌ１　土栽培植物
Ｌ２　水栽培植物
Ｌ３　魚
Ｗ　貯水空間
【図１】
2004008125.tif 000003
【図２】
2004008125.tif 000004
【図３】
2004008125.tif 000005
【図４】
2004008125.tif 000006
【図５】
2004008125.tif 000007
【図６】
2004008125.tif 000008